(57)【特許請求の範囲】
【請求項１】
複数ページにわたる原稿を各ページ単位で順次読み取る原稿読取工程と、前記原稿読取
工程で順次読み取った原稿に基づき各ページ毎の原稿に係る画像情報を取得する画像情報
取得工程と、前記画像情報取得工程で取得した画像情報に基づく文字認識結果から、該当
ページ中に存在する画像の方向を取得する画像方向取得工程と、前記画像方向取得工程の
取得結果に基づいて、前記画像を正立方向に整列させる修正を行う画像方向修正工程と、
を備えて構成される画像処理方法であって、
前記画像方向取得工程の方向取得結果に基づいて、該当ページ中における相互に異なる
方向を指向する異方孤立画像の混在状況を取得する混在状況取得工程と、
前記混在状況取得工程の取得結果に基づいて、該当ページ中に混在している前記異方孤
立画像を、個々の孤立画像にそれぞれ分割するとともに、当該分割された個々の孤立画像
毎に各別のページを割り当てる孤立画像分割工程と、
をさらに備え、
前記画像方向取得工程では、
前記孤立画像分割工程で分割後の孤立画像に係る情報に基づく文字認識結果から、該当
ページ中に存在する孤立画像の方向を取得し、
前記画像方向修正工程では、
前記画像方向取得工程の取得結果に基づいて、異方孤立画像を正立方向に整列させる修
正を行う、
ことを特徴とする画像処理方法。
【請求項２】
複数ページにわたる原稿を各ページ単位で順次読み取る原稿読取工程と、前記原稿読取
工程で順次読み取った原稿に基づき各ページ毎の原稿に係る画像情報を取得する画像情報
取得工程と、前記画像情報取得工程で取得した画像情報に基づく文字認識結果から、該当
ページ中に存在する画像の方向を取得する画像方向取得工程と、前記画像方向取得工程の
取得結果に基づいて、前記画像を正立方向に整列させる修正を行う画像方向修正工程と、
を備えて構成される画像処理方法であって、
前記画像情報取得工程で取得した画像情報に基づいて、主走査方向及び副走査方向にお
ける画像濃度分布を求める画像濃度分布演算工程と、
前記画像濃度分布演算工程で求められた画像濃度分布に基づいて、該当ページ中におけ
る相互に異なる方向を指向する異方孤立画像の混在状況を取得する混在状況取得工程と、
前記混在状況取得工程の取得結果に基づいて、該当ページ中に混在している前記異方孤
立画像を、個々の孤立画像にそれぞれ分割するとともに、当該分割された個々の孤立画像
毎に各別のページを割り当てる孤立画像分割工程と、
をさらに備え、
前記画像方向取得工程では、
前記孤立画像分割工程で分割後の孤立画像に係る情報に基づく文字認識結果から、該当
ページ中に存在する孤立画像の方向を取得し、
前記画像方向修正工程では、
前記画像方向取得工程の取得結果に基づいて、異方孤立画像を正立方向に整列させる修
正を行う、
ことを特徴とする画像処理方法。
【請求項３】
請求項２記載の画像処理方法であって、
前記前記画像濃度分布演算工程では、
主走査方向における画像濃度の積算値を行単位で求めるとともに、求められた積算値を
副走査方向に展開することで画像濃度分布を演算する一方で、
副走査方向における画像濃度の積算値を列単位で求めるとともに、求められた積算値を
主走査方向に展開することで画像濃度分布を演算し、
前記混在状況取得工程では、
前記画像濃度分布演算工程で求められた主走査方向及び副走査方向における画像濃度分
布に基づいて、前記異方孤立画像間における空白の存在領域を解析し、当該解析結果に基
づいて、前記異方孤立画像の混在状況を取得する、
ことを特徴とする画像処理方法。
【請求項４】
複数ページにわたる原稿を各ページ単位で順次読み取る原稿読取手段と、前記原稿読取
手段で順次読み取った原稿に基づき各ページ毎の原稿に係る画像情報を取得する画像情報
取得手段と、前記画像情報取得手段で取得した画像情報に基づく文字認識結果から、該当
ページ中に存在する画像の方向を取得する画像方向取得手段と、前記画像方向取得手段の
取得結果に基づいて、前記画像を正立方向に整列させる修正を行う画像方向修正手段と、
を備えて構成される画像処理方法であって、
前記画像方向取得手段の方向取得結果に基づいて、該当ページ中における相互に異なる
方向を指向する異方孤立画像の混在状況を取得する混在状況取得手段と、
前記混在状況取得手段の取得結果に基づいて、該当ページ中に混在している前記異方孤
立画像を、個々の孤立画像にそれぞれ分割するとともに、当該分割された個々の孤立画像
毎に各別のページを割り当てる孤立画像分割手段と、
をさらに備え、
前記画像方向取得手段では、
前記孤立画像分割手段で分割後の孤立画像に係る情報に基づく文字認識結果から、該当
ページ中に存在する孤立画像の方向を取得し、
前記画像方向修正手段では、
前記画像方向取得手段の取得結果に基づいて、異方孤立画像を正立方向に整列させる修
正を行う、
ことを特徴とする画像処理装置。
【請求項５】
複数ページにわたる原稿を各ページ単位で順次読み取る原稿読取手段と、前記原稿読取
手段で順次読み取った原稿に基づき各ページ毎の原稿に係る画像情報を取得する画像情報
取得手段と、前記画像情報取得手段で取得した画像情報に基づく文字認識結果から、該当
ページ中に存在する画像の方向を取得する画像方向取得手段と、前記画像方向取得手段の
取得結果に基づいて、前記画像を正立方向に整列させる修正を行う画像方向修正手段と、
を備えて構成される画像処理装置であって、
前記画像情報取得手段で取得した画像情報に基づいて、主走査方向及び副走査方向にお
ける画像濃度分布を求める画像濃度分布演算手段と、
前記画像濃度分布演算手段で求められた画像濃度分布に基づいて、該当ページ中におけ
る相互に異なる方向を指向する異方孤立画像の混在状況を取得する混在状況取得手段と、
前記混在状況取得手段の取得結果に基づいて、該当ページ中に混在している前記異方孤
立画像を、個々の孤立画像にそれぞれ分割するとともに、当該分割された個々の孤立画像
毎に各別のページを割り当てる孤立画像分割手段と、
をさらに備え、
前記画像方向取得手段では、
前記孤立画像分割手段で分割後の孤立画像に係る情報に基づく文字認識結果から、該当
ページ中に存在する孤立画像の方向を取得し、
前記画像方向修正手段では、
前記画像方向取得手段の取得結果に基づいて、異方孤立画像を正立方向に整列させる修
正を行う、
ことを特徴とする画像処理装置。
【請求項６】
請求項５記載の画像処理装置であって、
前記前記画像濃度分布演算手段では、
主走査方向における画像濃度の積算値を行単位で求めるとともに、求められた積算値を
副走査方向に展開することで画像濃度分布を演算する一方で、
副走査方向における画像濃度の積算値を列単位で求めるとともに、求められた積算値を
主走査方向に展開することで画像濃度分布を演算し、
前記混在状況取得手段では、
前記画像濃度分布演算手段で求められた主走査方向及び副走査方向における画像濃度分
布に基づいて、前記異方孤立画像間における空白の存在領域を解析し、当該解析結果に基
づいて、前記異方孤立画像の混在状況を取得する、
ことを特徴とする画像処理装置。
【請求項７】
請求項４〜６の何れかに記載の画像処理装置であって、
複数ページにわたる原稿を含む電子文書を表示するための表示手段をさらに備えたこと
を特徴とする画像処理装置。
【発明の詳細な説明】
【技術分野】
【０００１】
本発明は、ページ集約機能を活用することで作成された電子文書中に、あさっての方向を向いていて読みづらい異方孤立画像が混在していたとしても、これら異方孤立画像をもれなく正立方向に整列修正可能な画像処理方法、及び画像処理装置に関する。
【背景技術】
【０００２】
複数ページにわたる原稿画像を含む電子文書について、個々の原稿画像が正立方向に整列して配置されていれば、これらを閲覧するときに見やすくなって便利である。
【０００３】
こうした要請に応えるために、ファクシミリ送受信部にて受信した画像データをメモリに保持し、送られてきた画像の方向を方向判別部により取得し、同取得結果に基づく方向判別情報を付加して画像データをコンピュータ宛に送ることによって、コンピュータでは、正立方向で原稿を表示させ、再生時の手間を省くようにした画像処理技術が知られている（例えば特許文献１参照）。
【０００４】
また、文字認識の結果を活用して文書画像の方向を９０度単位で判定する際に、複数方向で高い確信度を持つ文字の影響を低減させて文書画像の方向を高精度で判定可能とした技術も公知である（例えば特許文献２参照）。
【０００５】
ところで、例えばデジタル複写機などの画像処理装置は、一般に、複数ページにわたる各原稿画像を縮小することでひとつのページに集約する、2in1 や 4in1 などと呼ばれるページ集約機能を有している。
【０００６】
かかるページ集約機能を活用することで作成された複数ページにわたる原稿画像を含む電子文書にあっては、縦向きの原稿画像と横向きの原稿画像とが、それぞれは孤立した画像であるにもかかわらず、ひとつのページのなかに集約されて混在することが起こり得る。こうした相互に向きの異なる異方孤立画像がひとつのページ中に混在しているページ集約画像を含む電子文書に対しては、上述した特許文献１、２の技術を単に適用しても、そのページ集約画像を、縦向き又は横向きにしか向けることができない結果、あさっての方向を向いていて読みづらい孤立画像が生じてしまうことは避けられない。
【特許文献１】特開平１０−１５０５５１号公報
【特許文献２】特開２０００−１１３１０３号公報
【発明の開示】
【発明が解決しようとする課題】
【０００７】
解決しようとする問題点は、従来技術では、電子文書のなかから、あさっての方向を向いていて読みづらい孤立画像を排除することが難しかった点である。
【課題を解決するための手段】
【０００８】
本発明は、ページ集約機能を活用することで作成された電子文書中に、あさっての方向を向いていて読みづらい異方孤立画像が混在していたとしても、これら異方孤立画像をもれなく正立方向に整列修正することを目的として、複数ページにわたる原稿を各ページ単位で順次読み取る原稿読取工程と、前記原稿読取工程で順次読み取った原稿に基づき各ページ毎の原稿に係る画像情報を取得する画像情報取得工程と、前記画像情報取得工程で取得した画像情報に基づく文字認識結果から、該当ページ中に存在する画像の方向を取得する画像方向取得工程と、前記画像方向取得工程の取得結果に基づいて、前記画像を正立方向に整列させる修正を行う画像方向修正工程と、を備えて構成される画像処理方法であって、前記画像方向取得工程の方向取得結果に基づいて、該当ページ中における相互に異なる方向を指向する異方孤立画像の混在状況を取得する混在状況取得工程と、前記混在状況取得工程の取得結果に基づいて、該当ページ中に混在している前記異方孤立画像を、個々の孤立画像にそれぞれ分割するとともに、当該分割された個々の孤立画像毎に各別のページを割り当てる孤立画像分割工程と、をさらに備え、前記画像方向取得工程では、前記孤立画像分割工程で分割後の孤立画像に係る情報に基づく文字認識結果から、該当ページ中に存在する孤立画像の方向を取得し、前記画像方向修正工程では、前記画像方向取得工程の取得結果に基づいて、異方孤立画像を正立方向に整列させる修正を行う、ことを特徴とする。
【発明の効果】
【０００９】
本発明に係る画像処理方法によれば、混在状況取得工程では、前記画像方向取得工程の方向取得結果に基づいて、該当ページ中における相互に異なる方向を指向する異方孤立画像の混在状況を取得し、孤立画像分割工程では、前記混在状況取得工程の取得結果に基づいて、該当ページ中に混在している前記異方孤立画像を、個々の孤立画像にそれぞれ分割するとともに、当該分割された個々の孤立画像毎に各別のページを割り当てる。これを受けて画像方向取得工程では、孤立画像分割工程で分割後の孤立画像に係る情報に基づく文字認識結果から、該当ページ中に存在する孤立画像の方向を取得し、画像方向修正工程では、前記画像方向取得工程の取得結果に基づいて、異方孤立画像を正立方向に整列させる修正を行う。従って、ページ集約機能を活用することで作成された電子文書の中に、あさっての方向を向いていて読みづらい異方孤立画像が混在していたとしても、これらの異方孤立画像を、個々の孤立画像にそれぞれ分割するとともに、当該分割された個々の孤立画像毎に各別のページをもれなく割り当てた後、全ての孤立画像をもれなく正立方向に整列修正することができる。
【発明を実施するための最良の形態】
【００１０】
ページ集約機能を活用することで作成された電子文書の中に、あさっての方向を向いていて読みづらい異方孤立画像が混在していたとしても、これら異方孤立画像をもれなく正立方向に整列修正するといった目的を、画像方向取得工程の方向取得結果に基づいて、該当ページ中における相互に異なる方向を指向する異方孤立画像の混在状況を取得し、この取得結果に基づいて、該当ページ中に混在している前記異方孤立画像を、個々の孤立画像にそれぞれ分割するとともに、当該分割された個々の孤立画像毎に各別のページをもれなく割り当てた後、全ての孤立画像を正立方向に整列修正する画像処理方法によって実現した。
【実施例】
【００１１】
以下、本発明実施例に係る画像処理方法、及び画像処理装置について、図面を参照しつつ詳細に説明する。なお、以下では、本発明に係る画像処理装置の一実施例として、デジタル複合機を例示して説明する。
【００１２】
［本発明実施例に係る画像処理方法を適用したデジタル複合機の概略構成］
図１は、デジタル複合機の概略構成を示すブロック図、図２は、同デジタル複合機における操作パネル部の外観図である。
【００１３】
本機は、例えば、コピージョブ、Fax送信ジョブ、印刷ジョブ、又はネットワーク送信（メール送信やデータ送信）ジョブを含む諸機能が利用可能であり、マイクロコンピュータ及び専用のハードウェア回路等から構成される主制御部１１によって制御される。この主制御部１１に接続され諸機能を担う入出力機器として、本機は、原稿読取部２１、画像処理部３１、エンジン部４１、操作パネル部５１、ファクシミリ通信部６１、ＨＤＤ（ハードディスクドライブ）６３、並びに、ネットワークＩ／Ｆ（インタフェース）部６５を備える。
【００１４】
主制御部１１は、スキャナ機能を実現するための動作制御を行うスキャナコントローラ１３と、ファクシミリ機能を実現するための動作制御を行うファクシミリコントローラ１５、プリンタ機能を実現するための動作制御を行うプリンタコントローラ１７、並びに、コピー機能を実現するための動作制御を行うコピーコントローラ１９を内蔵し、本機全体の動作を統括制御する。
【００１５】
本発明において原稿読取手段として機能する原稿読取部２１は、図示しないスキャナを構成する画像照射ランプ２３及びＣＣＤ（電荷結合素子： Charge Coupled Device ）センサ２５を含む。原稿読取部２１は、画像照射ランプ２３により原稿を照射し、その反射光をＣＣＤセンサ２５で受光することにより、原稿から画像を読み取り、読み取った画像に対応する画像データを画像処理部３１へ出力する。
【００１６】
画像処理部３１は、補正部３３、画像加工部３５及び画像メモリ３７を含む。画像処理部３１は、原稿読取部２１で読み取られた画像データを、必要に応じて補正部３３及び画像加工部３５で処理し、処理後の画像データを画像メモリ３７に記憶させ、或いは、エンジン部４１、ファクシミリ通信部６１等へ出力する。補正部３３は、原稿読取部２１で読み取られた画像データに対してレベル補正、ガンマ補正等の所定の補正処理を行う。画像加工部３５は、画像データの圧縮又は伸張処理、及び拡大又は縮小処理等の種々の加工処理を行う。
【００１７】
エンジン部４１は、図示しない給紙カセットや給紙ローラ等から構成される用紙搬送部４３、図示しない感光体ドラム、露光装置、現像装置等から構成される画像形成部４５、図示しない転写ローラ等から構成される転写部４７、及び図示しない定着ローラ等から構成される定着部４９を含む。エンジン部４１は、原稿読取部２１で読み取られた画像データ、ネットワークＩ／Ｆ部６５を介してＬＡＮ（Local Area Network）によりクライアントＰＣ（パーソナルコンピュータ）等から送信された画像データ、ファクシミリ通信部６１を用いて外部のファクシミリ装置等から受信したファクスデータ等の画像データを用いて画像を用紙に印刷する。具体的には、用紙搬送部４３は用紙を画像形成部４５へ搬送し、画像形成部４５は上記の画像データに対応するトナー像を形成し、転写部４７はトナー像を用紙に転写し、定着部４９はトナー像を用紙に定着させて画像を形成する。
【００１８】
操作パネル部５１は、図１及び図２に示すように、タッチパネル部５３及び機能キー部５５を含む。操作パネル部５１は、ユーザがスキャナ機能、ファクシミリ機能、プリンタ機能、コピー機能等に関する操作を行うために使用され、ユーザによる操作指令等を主制御部１１に与える。
【００１９】
本発明の表示手段として機能するタッチパネル部５３は、タッチパネルとカラーＬＣＤ（Liquid Crystal Display）とを組み合わせたタッチパネルユニット等から構成され、種々の設定画面、例えば、コピー機能実行時には、原稿サイズ、コピーサイズ、複写部数などを設定するための情報を表示するとともに、ユーザが該当部分をタッチすることにより種々の操作指令を入力するための操作ボタン類を表示する。また、タッチパネル部５３は、複数ページにわたる原稿画像を含む電子文書を表示する際に用いられる。
【００２０】
機能キー部５５は、画像形成処理に係る各種機能を選択する際にユーザによって操作される複数の機能キー、並びに、ショートカットキーを備えており、例えば、コピー機能、プリンタ機能、スキャナ機能、ファクシミリ機能など諸機能のなかから、所要機能のキー入力操作をユーザが選択的に実行する際に、又は、ユーザが複写部数やコピー実行指令などを操作入力する際に用いられる。
【００２１】
ファクシミリ通信部６１は、符号化／復号化部（図示省略）、変復調部（図示省略）及びＮＣＵ（Network Control Unit）（図示省略）を含む。ファクシミリ通信部６１は、原稿読取部２１によって読み取られた原稿の画像データを電話回線を介してファクシミリ装置等へ送信したり、ファクシミリ装置等から送信された画像データを受信する。
【００２２】
ＨＤＤ（ハードディスクドライブ）６３は、原稿読取部２１によって読み取られた画像データ及び同画像データに設定されている出力形式等の種々のデータ等を記憶する。ＨＤＤに記憶されている画像データは、デジタル複合機、プログラム及び記録媒体内部で使用されるだけでなく、必要に応じて、ネットワークＩ／Ｆ部６５を介してクライアントＰＣ等から確認したり、クライアントＰＣやＦＴＰサーバ等の所定のフォルダへ転送される。
【００２３】
ネットワークＩ／Ｆ部６５は、ネットワークインタフェース（１０／１００Ｂａｓｅ−ＴＸ）等を用い、ＬＡＮを介して接続されたクライアントＰＣ等のユーザ端末６７に対する種々のデータの送受信を制御する。
【００２４】
さて、ページ集約機能を活用することで作成された電子文書の中に、あさっての方向を向いていて読みづらい異方孤立画像が混在していたとしても、これらの異方孤立画像をもれなく正立方向に整列修正するために、本発明実施例に係るデジタル複合機は、複数ページにわたる原稿を各ページ単位で順次読み取る原稿読取部２１（本発明の「原稿読取手段」に相当する。）と、原稿読取部２１で順次読み取った原稿に基づき各ページ毎の原稿に係る画像情報を取得する画像情報取得部（本発明の「画像情報取得手段」に相当する。）７１と、画像情報取得部７１で取得した画像情報に基づいて、主走査方向及び副走査方向における画像濃度分布を求める画像濃度分布演算部（本発明の初期の目的を得るためには省略可能）７３と、画像方向取得部７９の方向取得結果に基づいて、該当ページ中における相互に異なる方向を指向する異方孤立画像の混在状況を取得する混在状況取得部（本発明の「混在状況取得手段」に相当する。）７５と、混在状況取得部７５の取得結果に基づいて、該当ページ中に混在している前記異方孤立画像を、個々の孤立画像にそれぞれ分割するとともに、当該分割された個々の孤立画像毎に各別のページを割り当てる孤立画像分割部（本発明の「孤立画像分割手段」に相当する。）７７と、画像情報取得部７１で取得した画像情報に基づく文字認識結果から、該当ページ中に存在する画像の方向を取得する画像方向取得部（本発明の「画像方向取得手段」に相当する。）７９と、画像方向取得部７９の取得結果に基づいて、前記画像を正立方向に整列させる修正を行う画像方向修正部（本発明の「画像方向修正手段」に相当する。）８１と、を備えて構成されている。なお、画像方向取得部７９では、孤立画像分割部７７で分割後の孤立画像に係る情報に基づく文字認識結果から、該当ページ中に存在する孤立画像の方向を取得し、画像方向修正部８１では、画像方向取得部７９の取得結果に基づいて、異方孤立画像を正立方向に整列させる修正を行う、ように構成されている。
【００２５】
［本発明実施例に係るデジタル複合機（画像処理装置）の動作］
次に、本発明実施例に係るデジタル複合機の動作について、図３乃至図５を参照して説明する。図３は、本デジタル複合機の動作フローチャートを示し、図４は、異方孤立画像が混在している集約原稿ページに係る画像濃度分布の説明に供する図、図５は、該当ページ中に混在している異方孤立画像が空白領域をもって分割及び方向修正される様子を示す説明図である。
【００２６】
前提として、本発明実施例に係るデジタル複合機は、ページ集約機能と、このページ集約機能を活用することで複数ページにわたる原稿画像を含む電子文書を作成する電子文書作成機能と、を有しているものとする。
【００２７】
図３に示すように、原稿読取部２１における原稿自動送り装置（不図示）に、複数ページにわたる原稿がセットされた後に、同原稿の読み取り指示が操作パネル部５１を介してユーザに操作入力されると、主制御部１１は、原稿読み取りの開始信号を原稿読取部２１に送出する。これを受けて原稿読取部２１は、各ページ単位で原稿読み取りを開始する（ステップ１１）。
【００２８】
ステップＳ１１においてページ単位で読み取られた画像データは、原稿読取部２１から画像情報取得部７１宛に送出される。これを受けて画像情報取得部７１は、当該原稿に係る画像をページ単位で取得し、取得した画像データを、画像メモリ３７に記憶させる（ステップ１２）。
【００２９】
次いで、画像処理部３１は、ステップ１２で取得した画像情報に基づいて文字認識処理を実行し、その処理結果を画像方向取得部７９宛に送出する。これを受けて画像方向取得部７９は、ステップ１２で取得した画像情報に基づく文字認識結果から、該当ページ中に存在する画像の方向を９０度の角度単位で取得する処理を行う（ステップＳ１３）。
【００３０】
ステップＳ１３における画像方向取得結果に基づいて、混在状況取得部７５は、該当ページ中における異方孤立画像の混在状況について、その概要を把握する。具体的には、混在状況取得部７５は、ステップＳ１３における画像方向取得結果に基づいて、該当ページ中に、相互に方向の異なる画像が存在するか否かに係る初期判定を行う（ステップＳ１４）。
【００３１】
ステップＳ１４における初期判定の結果、該当ページ中に異方孤立画像が混在していない旨の判定が下されたとき、混在状況取得部７５は、本発明に係る異方孤立画像をもれなく正立方向に整列修正させる場面は存在しないものとみなして、処理の流れをステップＳ１９における画像表示処理までジャンプさせる。
【００３２】
一方、ステップＳ１４における初期判定の結果、該当ページ中に異方孤立画像が混在している旨の判定が下されたとき、画像濃度分布演算部７３は、画像情報取得部７１で取得した画像情報に基づいて、主走査方向及び副走査方向における画像濃度分布を演算し、これを受けて混在状況取得部７５は、画像濃度分布演算部７３で求められた画像濃度分布に基づいて、該当ページ中における相互に異なる方向を指向する異方孤立画像の混在状況を取得する（ステップＳ１５）。ここで、ステップＳ１５における画像濃度分布演算処理及び混在状況取得処理について、異方孤立画像が混在している集約原稿ページ（左側半分は正立状態の横書き原稿である反面、右側半分は横向きの正立状態ではない横書き原稿である。）を例示（図４（ａ）参照）して説明すると、画像濃度分布演算部７３は、主走査方向における画像濃度の積算値を行単位で求めるとともに、求められた積算値を副走査方向に展開することで画像濃度分布を演算する（図４（ｂ）参照）一方で、副走査方向における画像濃度の積算値を列単位で求めるとともに、求められた積算値を主走査方向に展開することで画像濃度分布を演算する（図４（ｃ）参照）。これらの濃度積算値分布特性を解析すると、図４（ｂ）に示す行単位（横方向）での濃度積算値分布では、副走査方向（図４（ａ）の集約原稿ページにおける縦方向）に展開された濃度積算値が切れ目なく分布しているのに対し、図４（ｃ）に示す列単位（縦方向）での濃度積算値分布では、主走査方向（図４（ａ）の集約原稿ページにおける横方向）に展開された濃度積算値のうち、その中央部分に所定間隔の切れ目が存在していることがわかる。この濃度積算値の切れ目は、集約原稿ページにおける空白領域の存在を意味するから、ステップＳ１４における該当ページ中に異方孤立画像が混在している旨の初期判定結果と併せて考慮すると、空白領域を中間に挟んで、少なくとも二つの異方孤立画像が存在することがわかる。従って、混在状況取得部７５は、主走査方向及び副走査方向におけるそれぞれの画像濃度分布を解析することを通じて、集約原稿ページ中に、いくつの異方孤立画像が混在しているかに係る異方孤立画像の混在状況を取得することができる。
【００３３】
次いで、孤立画像分割部７７は、混在状況取得部７５の取得結果に基づいて、該当ページ中に混在している異方孤立画像を、個々の孤立画像にそれぞれ分割するとともに、当該分割された個々の孤立画像毎に各別のページを割り当てる処理を実行する（ステップＳ１６）。
【００３４】
なお、本発明実施例に係る初期の作用効果を得る目的では、ステップＳ１４〜Ｓ１５の処理を省略することができる。この場合、ステップＳ１３における画像方向取得後に、上述のステップＳ１６における画像分割及びページ割り当て処理が実行されることになる。すなわち、ステップＳ１３における画像方向取得後に、孤立画像分割部７７は、ステップＳ１３における画像方向取得部７９の画像方向取得結果に基づいて、該当ページ中に混在している異方孤立画像を、個々の孤立画像にそれぞれ分割するとともに、当該分割された個々の孤立画像毎に各別のページを割り当てる処理を実行する（ステップＳ１６）。ここで、「画像方向取得部７９の画像方向取得結果に基づいて、該当ページ中に混在している異方孤立画像を、個々の孤立画像にそれぞれ分割する」とは、例えば、画像方向取得部７９の画像方向取得結果から、該当ページ中に異方孤立画像が混在しているとの一応の蓋然性（例えば５０％以上の確率など、所定の割合が適宜変更可能に設定される。）が推定される場合には、該当ページを半分に分割（例えば、縦向きのページ原稿であれば横方向の境界線をもって二分割する一方、横向きのページ原稿であれば縦方向の境界線をもって二分割する。）するとともに、当該分割された個々の孤立画像毎に各別のページを割り当てる処理を実行する。
【００３５】
さて、ステップＳ１６における画像分割及びページ割り当て処理の実行後に、画像方向取得部７９は、分割後の孤立画像に係る情報に基づく文字認識結果から、該当ページ中に存在する孤立画像の方向を９０度の角度単位で取得する（ステップＳ１７）。なお、ステップＳ１６〜Ｓ１７における画像分割、ページ割り当て、及び画像方向取得処理は、画像方向取得部７９の画像方向取得結果に基づいて、該当ページ中に混在している異方孤立画像が存在しなくなるまでの間、繰り返し実行される。
【００３６】
そして、画像方向修正部８１は、画像方向取得部７９の取得結果に基づいて、異方孤立画像を正立方向に整列させる修正を行った後（ステップＳ１８）、修正後の電子文書を表示制御部８３宛に送出する。これを受けて表示制御部８３は、電子文書の画像をタッチパネル部５３に表示させて、一連の処理の流れを終了させる。
【００３７】
ステップＳ１８における異方孤立画像を正立方向に整列させる修正処理を経て、図５（ａ）に示す分割前における集約原稿ページ（左側半分の第1-1ページは正立状態の横書き原稿である反面、右側半分の第1-2ページは正立状態ではない横書き原稿である。）は、図５（ｂ）に示すように、分割後における孤立画像に係る原稿ページ（第１ページは縦方向に正立した状態の横書き原稿であり、第２ページは横方向に正立した状態に修正された横書き原稿である。）へと変換される。このように、ページ集約機能を活用することで作成された電子文書中に、あさっての方向を向いていて読みづらい異方孤立画像が混在していたとしても、これら異方孤立画像が正立方向に整列修正される結果として、電子文書を閲覧するユーザは、異方孤立画像に起因する画像の方向修正に係る手間を要することなく、快適に電子文書を閲覧することができるようになる。
【００３８】
［本発明実施例の効果］
以上述べたように、本発明実施例に係る画像処理方法によれば、画像方向取得工程の方向取得結果に基づいて、該当ページ中における相互に異なる方向を指向する異方孤立画像の混在状況を取得し、この取得結果に基づいて、該当ページ中に混在している前記異方孤立画像を、個々の孤立画像にそれぞれ分割するとともに、当該分割された個々の孤立画像毎に各別のページをもれなく割り当てた後、全ての孤立画像を正立方向に整列修正するので、電子文書を閲覧するユーザは、異方孤立画像に起因する画像の方向修正に係る一切の手間を要することなく、快適に電子文書を閲覧することができる。
【００３９】
一方、本発明実施例に係る画像処理方法が適用されたデジタル複合機によれば、電子文書を閲覧するユーザにとって、異方孤立画像に起因する画像の方向修正に係る一切の手間を要することなく、快適に電子文書を閲覧可能な画像処理装置を提供することができる。
【００４０】
［その他］
本発明は、上述した実施例に限られるものではなく、請求の範囲及び明細書全体から読み取れる発明の要旨、あるいは技術思想に反しない範囲で適宜変更可能であり、そのような変更を伴う画像処理方法又は画像処理装置もまた、本発明における技術的範囲の射程に包含されるものである。
【００４１】
すなわち、例えば、本発明実施例において、異方孤立画像をもれなく正立方向に整列修正後の電子文書に対する処理乃至取扱いについて、電子文書の画像をタッチパネル部５３に表示させる例をあげて説明したが、本発明はこの例に限定されることなく、整列修正後の電子文書を、例えば、デジタル複合機に装備されている文書ボックスに保存したり、或いは他の装置に送信することができることはいうまでもない。
【図面の簡単な説明】
【００４２】
【図１】本発明実施例に係るデジタル複合機の概略構成を示す機能ブロック図である。
【図２】本発明実施例に係るデジタル複合機における操作パネル部の外観図である。
【図３】本発明実施例に係るデジタル複合機の動作フローチャート図である。
【図４】異方孤立画像が混在している集約原稿ページに係る画像濃度分布の説明に供する図である。
【図５】該当ページ中に混在している異方孤立画像が空白領域をもって分割及び方向修正される様子を示す説明図である。
【符号の説明】
【００４３】
１１  主制御部
２１  画像読取部（画像読取手段）
３１  画像処理部
７１  画像情報取得部（画像情報取得手段）
７３  画像濃度分布演算部
７５  現在状況取得部（現在状況取得手段）
７７  孤立画像分割部（孤立画像分割手段）
７９  画像方向取得部（画像方向取得手段）
８１  画像方向修正部（画像方向修正手段）
８３  表示制御部（表示制御手段）
【図１】
0004881897.tif 000002
【図２】
0004881897.tif 000003
【図３】
0004881897.tif 000004
【図４】
0004881897.tif 000005
【図５】
0004881897.tif 000006